(57)【要約】  本発明は無線通信システムにおける無線資源管理に関する。特に本発明は、マルチ・セクタ・バス送受信サイトのダウンリンク無線資源の管理方法のための方法及び装置に関し、前記マルチ・セクタ・バス送受信サイトでは、電力がセクタ間で共有され、前記セクタでは無線資源管理がレポートされた電力測定の修正に基づいて実行される。
2007512742.tif 000002
【特許請求の範囲】
【請求項１】
ダウンリンク無線資源を管理する方法であって、
ダウンリンク電力情報を受信する段階と、
前記受信したダウンリンク電力情報を修正する段階と、
前記修正されたダウンリンク電力情報に基づいてダウンリンク無線資源管理決定を行う段階と、
を備える方法。
【請求項２】
ダウンリンク電力割り当てを判定する段階において、利用可能なダウンリンク電力を判定すること及び利用可能なダウンリンク電力情報を利用する段階を更に備える、請求項１に記載の方法。
【請求項３】
前記利用可能なダウンリンク電力が過負荷制御警告に関連する情報を利用して判定される、請求項２に記載の方法。
【請求項４】
ダウンリンク電力の割り当ての前記判定が、前記ダウンリンク電力情報と前記利用可能なダウンリンク電力情報との比較に依存する、請求項２又は３に記載の方法。
【請求項５】
前記受信したダウンリンク電力情報を修正する段階が、前記ダウンリンク電力情報に対する少なくとも第１及び第２の修正が第１及び第２の修正されたダウンリンク電力情報をもたらす段階を含み、
ダウンリンク無線資源管理の決定を行う前期段階が、前記第１の修正されたダウンリンク電力情報に基づいて第１のダウンリンク無線資源管理の決定を行う段階と、前記第２の修正されたダウンリンク電力情報に基づいて第２のダウンリンク無線資源管理の決定を行う段階を含む、
請求項１〜４のいずれか１項に記載の方法。
【請求項６】
前記修正がマルチ・セル・ベース・サイトにける少なくとも一つのセルに対する前記ダウンリンク電力情報のスケーリングに関する、請求項１〜５のいずれか１項に記載の方法。
【請求項７】
前記スケーリングが異なる無線資源管理決定に対して異なって実行される、請求項１〜６のいずれか１項に記載の方法。
【請求項８】
前記修正が、前記ダウンリンク電力情報のフィルタリングに関する、請求項１〜７のいずれか１項に記載の方法。
【請求項９】
前記フィルタリングが異なる無線資源管理決定に対して異なる長さの時間実行される、請求項８に記載の方法。
【請求項１０】
請求項１〜９のいずれか１項に記載の方法を実施するためのプロセッサが実行可能な命令を記憶する記憶媒体。
【請求項１１】
ダウンリンク無線資源を管理するための装置であって、
受信したダウンリンク電力情報を修正するための手段と、
前記修正されたダウンリンク電力情報に基づいてダウンリンクの無線資源管理決定を行うための手段と、
を備える装置。
【請求項１２】
受信したダウンリンク電力情報を修正するための手段が電力スケーリングモジュールである、請求項１１に記載の装置。
【請求項１３】
前記ダウンリンク電力情報に基づいてダウンリンク無線資源管理決定を行うための前記手段が無線資源管理モジュールである、請求項１１又は１２に記載の装置。
【請求項１４】
請求項１０〜１３のいずれか１項に記載の装置を備えるベース・ステーション・コントローラ。
【発明の詳細な説明】
【技術分野】
【０００１】
本発明は無線通信システムにおける無線資源管理に関する。特に本発明は無線資源管理の方法、及び同方法に対応する装置に関する。本発明は特にセクタ間で電力を共有できるマルチ・セクタ・ベース送信機に応用可能である。
【背景技術】
【０００２】
無線通信システムにおいて、一般的には携帯端末であるユーザ・デバイスは、ベース送受信ステーションや、セルラー通信システムやのような該ベース送受信ステーションが属する通信システムに付属する他のユーザ・デバイスや、例えば公衆交換電話網（ＰＳＴＮ）又はインターネットのような外部ネットワークと無線通信を行う。前記ベース送受信ステーションは、同ベース送受信ステーションと無線通信を行う他のユーザ・デバイスへの無線接続を提供する。前記ユーザ・デバイスから前記ベース送受信ステーションへの方向はアップリンクと呼ばれ、該送受信機から該ユーザ・デバイスへの方向はダウンリンクと呼ばれる。
【０００３】
一般的に、ベース受信機ステーションは受信部及び送信部を有する。前記受信部はアップリンク無線周波数信号を、前記ユーザ・デバイスからアンテナを通じて受信し、前記受信した無線周波数信号を混合してベース・バンド信号を得て、そのベース・バンド信号を復調／解凍して、例えば前記ベース送受信ステーションが属するセルラー通信システムを通じて他のユーザ・デバイスなどの宛先に対して送信するための信号又はメッセージ・データ又はユーザ・データなどの受信データを得る。
【０００４】
前記送信部は前記ベース送信部と接続されているユーザ・デバイスへ送信するためのデータを受信し、前記データを変調／コード化して前記ユーザのベース・バンド信号を得て、次に、ベース・バンド信号を混合して前記ユーザに対する無線周波数信号を受信する。前記ベース送受信ステーションに対する前記無線周波数信号、すなわち全てのユーザ・デバイスに対する蓄積された無線周波数信号は、次に前記ベース送受信ステーションのアンテナから送信される前に電力増幅器によって増幅される。
【０００５】
前記通信システムの最大容量を増加させるために、ベース送受信ステーションはセクタ又はセルに部分分割されてもよく、各セクタ又は各セルは電力増幅器及びアンテナを備えている。この状況において、マルチ・セクタ・ベース送受信ステーションの各セクタの前記電力増幅器資源を貯めておくことは有利になるであろう。
【０００６】
これは、全ての電力増幅器にわたって各セクタに対し増幅されるべき信号を共有することによって、すなわちＮ個の入力信号が分離され、次に前記各電力増幅器による増幅の後にＮ個の新しい信号に再構成されることにより達成されることが可能である。
【０００７】
この構成は、前記信号増幅が電力増幅器の貯められた資源にわたって共有されることで、各々の電力増幅器の必要とされるダイナミックレンジを減らすことを可能にし、前記電力増幅のコスト削減を導く。このことは、線形増幅を必要とする集合した信号の本質的に大きなダイナミックレンジのために符号分割多重接続（ＣＤＭＡ）において特に重要である。これに加えて、この構成は、前記電力増幅器の一つの障害が全ての電力増幅を失うセクタを引き起こさないので、自動的な電力増幅の減少を提供する。最後に、この構成は前記ベース送受信ステーションが共に設置されている例えばＡＭＰＳ及びＩＳ９５システムのような異なるシステム間での電力の共有を可能にする。
【０００８】
一般的に、ベース・サイトで利用可能な前記無線資源は有限であり、採用されている無線技術に従って、周波数及び／又は時間及び／又は多くの物理及び論理チャンネルのコードによって分割される。ベース送受信ステーションは一般的には多くのユーザ・デバイスに対応し、従って前記無線資源、すなわち前記ベース・ステーションで利用可能な異なるチャンネルは異なるユーザ・デバイスに割り当てられなければならない。一般的に、この割り当ては無線資源管理機能によって制御される。
【０００９】
多くのシステムにおいて、いくつかの無線資源管理機能は少なくとも部分的に、セルごとに利用可能な全電力に依存してよい。このことは、認証制御(admission control)及びユーザのスケジューリングのようなダウンリンクの無線資源管理機能が、利用可能なコードチャンネル数及びセル毎に利用可能な全送信電力に基づいている符号分割多重接続（ＣＤＭＡ）に特に当てはまる。ほとんどのＣＤＭＡシステムにおいて、利用可能な直交符号の数は十分であり、一般的には制限を課さない。従って、前記システムの最大容量は前記セルの最大の送信電力容量によって制限され、前記ベース送受信ステーションの電力増幅器の定格出力によって支配されるようになる。
【００１０】
前記無線資源管理機能は一般的には前記ベース送受信ステーションからの電力測定、特にユーザ当たりのコード電力及び全送信搬送波電力に依存し、個々のセル各々が、前記セルの最大容量、すなわち、前記増幅器の定格出力にどれだけ近いかを判定する。
【発明の開示】
【００１１】
本発明は、共有された電力増幅器資源をより効果的に利用するマルチ・セクタ・ベース送受信ステーションのための無線資源管理を提供しようとするものである。
本発明の第１の側面に従って、請求項１に記載されているようにダウンリンク電力の割り当てを判定する方法が提供される。
【００１２】
本発明の第２の側面に従って、請求項１０に記載されているようにダウンリンク電力の割り当てを判定する装置が提供される。
本発明をよりよく理解し、且つどのように効果をもたらすのかを示すために、実施例を利用して図面を参照しながら説明を行う。
【発明を実施するための最良の形態】
【００１３】
本発明を、ＣＤＭＡセルラー通信システムに関連して説明する。本発明は、特にセルの最大容量が電力又は干渉で制限されるようなシステムで特に利用可能である。しかし、本発明はそのようなシステムに限定されることを意図されていない。
【００１４】
図１は本実施形態に従ったベース送受信ステーション（ＢＴＳ）１００及び無線資源管理機（ＲＲＭ）２００の中心的な機能のブロック図である。本発明を理解するために必要なこれらの機能のみが示され、記載される。しかし当業者は、本発明の実際の実施には明白性のために本記載から取り除かれた他の機能のユニットを含むことを理解するであろう。
【００１５】
前記無線資源管理機（ＲＲＭ）２００は、携帯通信用全地球システム（ＧＳＭ）又は汎携帯電話通信システム（ＵＭＴＳ）における無線ネットワーク・コントローラ（ＲＮＣ）におけるベース・ステーション・コントローラ（ＮＳＣ）に一般的に配置される。しかし、当業者には明らかなように、前記ＲＲＭ２００はベース送受信機ステーション１００（ＵＭＴＳの用語ではノードＢとも呼ばれる）又は通信システム中のほかの適当なネットワークの任意の要素と共に配置されてもよい。
【００１６】
記載された本実施形態において、前記ＢＴＳ１００は３つのセクタを有し、蓄電力増幅器(pooled power amplifier)を有するマルチ・セクタＢＴＳサイトである。それに加えて、各セクタは２０ワットの最大電力を有する、すなわち前記各電力増幅器は２０ワットの最大出力電力であり、従って前記マルチ・セクタＢＴＳサイトの全合計送信電力は６０ワットである。明らかに、この実施形態に関して記載された前記マルチ・セクタ・サイトのセクタ数及び最大電力は本質的ではなく、他の実施形態が異なる値で実施されてもよい。
【００１７】
前記ＢＴＳ１００は、例えば各セクタに要求される全ダウンリンク送信電力の測定のような、各セクタに対する要求された電力出力測定を行う電力測定機能モジュール１１０を備える。前記電力測定機能モジュール１１０は、前記ＲＲＭ２００に操作可能な状態で接続され、該ＲＲＭ２００に前記電力出力測定を渡す。これは測定レポートの方法によって行われてもよい。このような測定レポートは連続して生成されてもよく、且つ／又は特別なイベント又は要因に応答して生成されてもよい。
【００１８】
それに加えて、前記ＢＴＳ１００はＢＴＳ過負荷制御モジュール１２０をも備えてもよい。もしそうであれば、前記電力測定機能モジュール１１０はまた前記ＢＴＳ過負荷制御モジュール１２０にもまた接続されていてよく、前記ＢＴＳ過負荷制御モジュール１２０へ前記電力出力測定を渡してもよい。
【００１９】
前記ＲＲＭ２００は上記のように、前記ＢＴＳ１００の前記電力測定機能モジュール１１０へ操作可能な状態で接続され、前記電力出力測定を受け取る。上で示したように、前記ＲＲＭ２００は一般的にＧＳＭシステムの前記ＢＳＣ、又はＵＭＴＳシステムの前記ＲＮＣに配置され、この状況において、前記電力出力測定はＢＴＳ／ＢＳＣインターフェイス（エイビス・インターフェイス: Abis interface）又はＲＮＣ／ノードＢインターフェイス（ラブ・インターフェイス: lub interface）を伝わって送られる。明らかに、この転送の正確な詳細は当業者に明白であり、従って、これ以上は記載されない。
【００２０】
説明された本実施形態に従う前記ＲＲＭ２００は、様々な異なる無線資源管理機能モジュールと共に電力修正モジュール２１０を備える。説明された無線資源管理モジュールの実施例は、接続制御モジュール２２０、スケジューラ２３０、及びハンドオーバー制御２４０である。それに加えて、ＲＲＭ２００はＲＲＭ過負荷制御モジュール２５０をも備える。
【００２１】
記載された、及び当業者に知られている他のものは、しかし明白性のために取り除かれている、様々なＲＲＭモジュールが、当業者に知られているように、前記ベース・ステーションの動作を判定するために送信電力測定を利用する。特に、接続制御モジュール２２０は新規ユーザ・デバイスがセル／セクタに接続されることができるか否かの判定に送信電力測定を利用し、スケジューラ２３０はユーザ・デバイスへダウンリンク送信のスケジューリングの間どのコード及び電力が割り当てられるべきかの判定に送信電力測定を利用し、ハンドオーバー制御モジュール２４０はいくつかのユーザ・デバイスを、あまり重い負荷がかかっていないセルへハンドオーバーするか否かの判定に、前記送信電力測定を利用し、そして前記ＲＲＭ過負荷制御モジュール２５０は各セクタの過負荷を判定するために送信電力測定を利用する。
【００２２】
前記電力測定機能モジュール１１０及び、もし存在すれば前記ＢＴＳ過負荷制御モジュール１２０は、一般的に該ＢＴＳ１００に個別のソフトウェア・モジュールとして実装されるであろうことが予想される。それに加えて、前記電力修正モジュール２１０、接続制御モジュール２２０、スケジューラ２３０、ハンドオーバー制御モジュール２４０、及びＲＲＭ過負荷制御モジュール２５０は、ＲＲＭ２００にソフトウェア・モジュールとして実装されるであろうことが予想される。しかし、本発明はソフトウェア・モジュールの利用に制限されることを意図しておらず、当業者に明らかなように、機能として記載されたものはソフトウェア、ハードウェア、ファームウェア、又はそれらの任意の組み合わせによって提供されてよい。
【００２３】
本発明のある実施形態において、前記電力修正モジュール２１０はマルチ・バンド幅フィルタを備えており、ベース・サイトの各セクタの短期、中期及び長期の電力要求を判断する。前記電力修正モジュール２１０は、この情報を利用してあるセクタから他のセクタへの電力借用(power borrowing)の異なるレベルを実現することができる。それに加えて、前記電力修正モジュール２１０は、以下で説明するように、異なるＲＲＭ機能に対して異なってこの情報を利用してもよい。
【００２４】
図２は、図１に示された前記電力修正モジュール２１０の動作方法を説明するフローチャートである。
最初に、ステップｓ１０において、前記電力修正モジュール２１０は、上に記載したように、前記電力測定モジュール１１０からの前記各セクタに対する前記電力測定を受信する。次に、ステップｓ２０において、前記電力修正ジュール２１０は少なくとも一つの前記セクタ及び／又は少なくとも一つの前記ＲＲＭモジュールに対して、調整又は修正を行う。この調整又は修正は、以下で更に詳細に議論する電力スケーリング・アルゴリズムに従って行うことができ、及び／又は以下に記載されるフィルタリングの結果であり得る。最後にステップｓ３０において、前記電力修正モジュール２１０はセクタ毎の前記修正された電力測定を、ＲＲＭの各機能、この場合は前記ＲＲＭモジュール２２０〜２４０に供給する。それに加えて、前記ＲＲＭの各機能、この場合は前記ＲＲＭモジュール２２０〜２４０は、以下でより詳細に説明するように、修正された各電力測定を異なって受信してもよいことに注意すべきである。それに加えて、前記電力修正モジュール２１０はセクタ毎の前記修正された電力要求測定を、前記ＲＲＭ過負荷制御モジュール２５０に送信してもよい（図２には示されていない）。
【００２５】
最も一般的な場合、前記電力測定に行われた前記ＢＴＳ１００から受信した前記修正は、一つ以上のセクタにおける前記レポートされた電力のスケーリング又は調整に関連してもよいことに注意すべきである。これとは別又はこれに加えて、前記電力測定に行われた前記ＢＴＳ１００から受信した前記修正は、前記電力測定に対する短期、中期又は長期のフィルタの前記適用に関連し、長期、中期又は短期の平均値及び／又は分散情報を得てもよい。スケーリング及びフィルタリングの修正の両方が適用されたある実施形態において、前記フィルタリング修正は前記スケーリングされた値に有利に適用される。別の実施形態において、前記フィルタリングされた値を有利にスケーリングしてもよい。このスケーリング及びフィルタリングはどの順番で適用されてもよい。
【００２６】
前記電力修正モジュール２１０によってステップｓ２０において行われる前記調整及び修正が全ての機能モジュール及び前記ＲＲＭ過負荷制御モジュール２５０に対して同一である必要は無いことに注意すべきである。実際に、いくつかの実施形態における前記異なるＲＲＭ機能の異なる要求の観点から、前記電力修正モジュール２１０は、二つ以上の前記ＲＲＭ機能モジュール２２０〜２４０及び前記ＲＲＭ過負荷制御モジュール２５０に対する対応する修正電力測定を生成してもよい。以下に記載する原理及び例は従って一つ以上の個々の各修正又は各調整に適用され、若しくは修正又は調整は全てのＲＲＭモジュールに対して適用される。
【００２７】
明らかに、前記電力修正モジュール２１０に対する多くの異なる実施方法が可能であり、該電力修正モジュールが前記電力測定を修正するための動作の原理は望まれる効果に依存して変化する。
【００２８】
前記電力修正モジュール２１０は一つ以上のレポートされた電力要求測定を修正するために動作してもよい。前記電力修正モジュール２１０は一般的に関連のあるレポートされた電力に修正を行って、セクタ間の電力資源の改善された割り当てに影響を与える。こうして、例えば重い負荷がかかったセクタには一つのセクタの定格出力よりも大きな電力を割り当てることができ、サイト全体の電力利用を改善することができる。
【００２９】
従って、短期から長期の期間フィルタリングされた値は、セルごとに割り当てられるべき最適なレベルの電力を判定するために、且つ／又は適切な時間依存の入力をＲＲＭ機能及びアルゴリズムに提供するために、全体で又は独立に考慮され、それにより、ＲＲＭアルゴリズムが前記ＳＰＳ許容量を知り、例えば一つ以上のセクタの定格電力を重い負荷かがかったセクタに割り当てることにより、最適に資源を利用すべくその資源を割り当て、その結果前記サイトの性能が増大する。前記フィルタリングされた各値は、負荷における長期及び短期の変化の両方への応答が最適に処理されるように構成される。
【００３０】
図３は、図３に従う前記電力修正モジュールが動作することによって生成される電力スケーリング情報の例を示す表である。
第１の例において、前記報告された電力は５Ｗ，５Ｗ，３５Ｗである。この状況では、セル１及びセル２には軽い負荷がかかり、セル３には非常に重い負荷がかかる。しかし、前記３つのセルによって利用される全電力は単に４５Ｗであり、前記サイト電力能力の６０Ｗ以内である。このように報告された電力が直接前記ＲＲＭモジュール２２０〜２４０に提供されると、セル３の前記過負荷は前記ＲＲＭモジュール２２０〜２４０においてセル３の前記電力要求の減少を引き起こし、例えば、セル３に存在するユーザに利用可能な電力を減らすことにより、セル３に新規ユーザを接続させず、何人かのユーザに可能であれば例えばセル１又はセル２のようなより重い負荷がかかっていないセルに移動させる。これは、前記ベース・サイトにおける前記利用可能な電力の非効率的な利用を導く。
【００３１】
その代わり、本実施形態に従って、前記レポートされた電力が前記電力修正モジュール２１０により前記ＲＲＭモジュール２２０〜２４０に渡される前に修正される。更に、前記レポートされた電力は異なるＲＲＭモジュール２２０〜２４０に対して異なって修正される。
【００３２】
本実施例において、前記電力修正モジュール２１０はレポートされた電力を５Ｗ，５Ｗ，２０Ｗに、前記電力測定が前記接続制御モジュール２２０に渡る前に修正する。これらのレポートされた電力は接続制御モジュール２２０に更なるユーザを（レポートされた電力が最大でも通常のセル電力の２０Ｗより少ないように）セル１及びセル２において可能にすることを引き起こすであろう。従って、セル３の利用が抑制され、セル３の利用が次から次へと増大する状況から守られ、更にセル１及びセル２の利用はまだ許される。
【００３３】
この実施形態において、前記電力修正モジュール２１０は前記レポートされる電力を１５Ｗ，１５Ｗ，１５Ｗに、前記電力測定がスケジューラ２３０に渡される前に修正する。前記スケジューラ２３０は、すると更なる５Ｗ（すなわち、通常の最大電力２０Ｗまで）が、いずれかのセルに存在するユーザに対してスケジューリングされることを許容する。これは、（もし真の測定値の３５Ｗがスケジューラ２３０によって受信されていたら許されないであろう）過負荷になったセル３の更なる利用を可能にし、前記電力資源を最も必要とされる場所で利用されることを可能にする。それに加えて、前記軽い負荷がかかっているセル１及び２も、存在するユーザに対して更に５Ｗのスケジュールリングが許され、これらのセルの許容量を不平等に制限することは無い。
【００３４】
この実施形態において、前記電力修正モジュール２１０は、前記レポートされた電力を５Ｗ，５Ｗ，２０Ｗに、前記電力測定がハンドオーバー制御モジュール２４０に渡る前に修正する。前記ハンドオーバー制御モジュール２４０は従って、セル３が通常の電力制限の２０Ｗであると信じるであろう。前記実施されたアルゴリズムに依存して、前記ハンドオーバー制御モジュール３４０は何も行動を起こさなくてよく、単にこの状況を監視するだけ、又は別に段階を踏んで、何人かのユーザを近隣のセルにハンドオーバーしてもよい。いずれの場合においても、重い負荷がかかっているセル３から他のセルにハンドオーバーするユーザの数は、セル３の電力が３５Ｗである事実がレポートされた場合に比べて非常に少なくなるであろう。通常の電力制限の２０Ｗ内に収まっている真の電力５Ｗがセル１及び２に対してレポートされているので、前記ハンドオーバー制御モジュールはこれらのセルに対しては何も行動を起こさないであろう。
【００３５】
第２の例において、前記レポートされた電力は１５Ｗ，１５Ｗ，３５Ｗである。この状況では、セル１及び２には適度に重い負荷がかかっており、セル３には非常に重い負荷がかかっている。前記３セルによって利用されている全電力は６５Ｗで、前記サイト電力容量の６０Ｗより少し多い。もしこれらのレポートされた電力が、前記ＲＲＭモジュール２２０〜２４０に直接提供されたら、セル３の前記過負荷は、前記ＲＲＭモジュール２２０〜２４０においてセル３の前記電力要求の大幅な減少を引き起こし、例えば、セル３に存在するユーザに利用可能な電力を減少させることにより新規ユーザをセル３に許可せず、何人かのユーザをより重くない負荷のかかるセル、例えばセル１又は２に、可能であれば移動させるであろう。このことは、前記ベース・サイトにおける前記利用可能な電力の非効率な利用を導く。
【００３６】
実際に、本実施形態に従って、前記レポートされた電力は前記電力修正モジュール２１０によって前記ＲＲＭモジュール２２０〜２４０に渡される前に修正される。
本実施例において、前記電力修正モジュール２１０は前記レポートされた電力を２０Ｗ，２０Ｗ，２０Ｗに、前記電力測定が前記接続制御モジュール２２０に渡される前に修正する。これらのレポートされた電力は、前記接続制御モジュール２２０において更なるユーザが（全てのセルに対してレポートされた電力が通常のセル電力最大の２０Ｗであるので）いずれかのセルに入ることを妨げるようになるであろう。従って、これらのセルにおけるユーザの数は安定化される。
【００３７】
この実施例において、前記電力修正モジュール２１０は電力を２０Ｗ，２０Ｗ，２０Ｗに、前記電力測定がスケジューラ２３０に渡る前に修正する。前記スケジューラは、全てのセルが最大の通常のセル容量であると信じるので、前記スケジューラ２３０はいずれのセルに存在するユーザに対してもいかなる他の電力をスケジューリングしないであろう。再び、前記各セルの電力要求は安定化し、電力要求の更なる増大を防ぐであろう。
【００３８】
この実施例において、前記電力修正モジュール２１０は電力を２０Ｗ，２０Ｗ，２０Ｗに、前記電力測定がハンドオーバー制御モジュール２４０に渡る前に修正する。前記ハンドオーバー制御モジュール２４０は従って、全てのセルが通常の電力制限の２０Ｗであると信じるであろう。実施された前記アルゴリズムに従って、前記ハンドオーバー制御モジュール２４０は何も行動を起こさなくてもよく、単にこの状況を監視するだけでもよく、又は、これとは別に、ステップを踏んで何人かのユーザを近隣のセルにハンドオーバーしてもよい。いずれの場合においても、重い負荷のかかっているセル３から他のセルにハンドオーバーするユーザの数は、セル３の電力が３５Ｗである事実がレポートされた場合に比べて非常に少なくなるであろう。セル１及び２から（セル３を除いた）他のセルへハンドオーバーするユーザの数は、セル１及び２の電力が１５Ｗである事実がレポートされた場合に比べて増え、前記ノードＢの全負荷の減少を導くであろう。
【００３９】
従って、前記電力修正モジュール２１０のレポートされた電力の修正の行動の結果として、前記無線資源管理は改善され、最適な利用が前記ベース・サイトの電力資源でなされることができる。もし、本実施形態の第１の例におけるように、前記電力修正モジュール２１０が前記ＲＲＭモジュールに依存して異なる修正をするのであれば、前記修正は、各ＲＲＭモジュールの最適に改善された性能を引き起こし得て、改善された全体の無線資源管理及び改善されたシステムの動作を導く。
【００４０】
上記実施例において、前記スケーリングされた電力測定は全企画ＲＲＭモジュールに直接渡される。しかし、上で示したように、前記電力値はフィルタに適用されてもよく、前記フィルタの平均値は前記異なるＲＲＭモジュールに渡されてもよい。前記電力値は元々測定された電力でもよく、又は上で議論したようにスケーリングされた電力でもよい。ある実施形態において、前記電力修正モジュール２１０は特定の時間間隔における平均値を供給するフィルタを備えている。それに加えて、上で示したように、上で記載されたスケーリング機能はフィルタの出力へも適用してよい。
【００４１】
従って、例えば、前記接続制御ＲＲＭモジュール２２０に対する前記電力値は、長期間平均の電力値を供給するフィルタに適用されてよい。この観点から、長期は数分から数十分程度の期間における平均値に関連してよい。このことは、前記接続制御モジュールに、短期間の揺らぎを考慮に入れる代わりに、各セルの長期間の負荷に基づく決定をさせることを可能にする。
【００４２】
逆に、前記スケジューラはより短い時間フレームで動作する。従って、前記スケジューラＲＲＭモジュール２３０の前記電力値は、短期間の平均電力値を供給するフィルタに適用されてよい。この観点から、短期間は数十フレーム程度の期間における平均値に関連してよい。このことはスケジューラに、各セルの前記短期間の負荷に基づいた決定をすることを可能にする。
【００４３】
フィルタされた又は平均化された値での動作に利益になる無線資源管理モジュールの別の例はセル・ブレス・モジュールであり、セルのパイロット送信電力を変えるために動作し、ゆえに前記セル・サイズを変更する。好ましくは、このような決定は一時間以上のような長期間で平均化された電力値に基づいて成されるべきである。
【００４４】
上で述べたように、前記ＲＲＭ過負荷制御モジュール２５０は過負荷の警告を前記ＢＴＳ過負荷制御モジュール１２０から受信し、前記ＢＴＳサイトの全負荷をも監視する。それに加えて、前記ＲＲＭ過負荷モジュールは、過負荷情報を前記電力修正モジュール２１０へ提供もする。
【００４５】
前記電力修正モジュール２１０は前記過負荷情報を監視して、前記過負荷制御警報がサイトに基づいたものか又はセクタに基づいたものかを判定する。この情報から、前記電力修正モジュール２１０は、前記通常の電力利用可能情報を前記サイト又はセクタに対して変更してもよい。それゆえ、例えば、前記電力修正モジュールは、通常の定格電力以上の電力を組織的に割り当ててもよく、レポートされた過負荷制御警告を考慮に入れてセクタ毎の最適な電力又は前記ベース・サイトに対する最適な電力を判断する。例えば６６Ｗの電力が前記ベース・サイトに割り当てられるときでさえも、過負荷制御警告が生成されないと判断された場合、前記電力修正モジュールはこの情報を利用して前記全利用可能な電力の合計を６６Ｗに修正することができる。
【００４６】
前記通常の定格電力に対するような、前記特別なセクタ毎の電力又はサイトごとの電力を判断するための過負荷制御警告の利用は、ＢＴＳサイト内で電力の共有が無いときでさえ有効であり得ることに注意すべきである。このような状況で、前記電力修正モジュール２１０は、そのセクタに対する最適な電力に従って前記ＲＲＭモジュール２２０〜２４０に報告される電力を修正するであろう。
【００４７】
更に、前記電力修正モジュール２１０は、例えば前記各電力増幅器の一つの故障など、前記ベース・サイトにおける利用可能な通常の電力の変化に気づくようになってよい。この状況で前記電力スケール・モジュールは、前記レポートされた測定を利用可能な全電力を考慮に入れてスケーリングするであろう。本発明の実施は以下の利点をもたらす。
【００４８】
いくらかの利用されていない電力を重い負荷のかかっていないセクタから重い負荷のかかっているセクタに転用することによって、より多くのユーザがより重い負荷のかかったセクタを利用できるので、許容量のゲインが実現される。
【００４９】
過負荷制御のより効果的な管理が可能になり、例え電力共有がベース・サイトにおいて装備されていなくても最大容量の増加が導かれる。
各無線資源管理機能の最適化が可能である。なぜなら、異なって修正された測定された電力要求値が、異なる電力資源化機能に提供され得るからである。
【００５０】
従って、記載された本実施形態において、アルゴリズムは無線資源管理において導入され、前記レポートされた電力測定を前記無線資源管理機能によって処理される前に修正され、マルチ・セクタ・ベース・サイトにおいてベース・サイトの電力資源をより効率的に利用する。それに加えて、過負荷制御機能は、セクタ間の電力共有が装備されているか否かにかかわらず、ベース・サイト又はベース・サイト・セクタの真の電力許容量を可能にすることによって最適化され、判断された電力利用を可能にすることを開示した。
【００５１】
図１に示された本実施形態において、前記電力修正モジュール２１０は実施例のＲＲＭもジュール２２０〜２４０から分離されているとされているが、全ての本実施形態において分離された電力修正モジュール２１０が提供されている必要は無い。その代わり、上で記載された前記電力修正モジュール２１０の機能は各前記ＲＲＭモジュールの一部として装備されていてもよい。この、別の実施形態において、各ＲＲＭモジュールにおいて、図２を参照して上に記載された前記電力測定入力の修正は最初に実行され、そして前記対応するＲＲＭモジュールが次に通常の方法で前記結果を利用する。これとは別に、レポートされた電力測定を利用して無線資源管理決定をするとき、前記ベース・サイトにおける電力共有能力を考慮に入れて、前記ＲＲＭモジュールを修正することは可能であろう。
【図面の簡単な説明】
【００５２】
【図１】本実施形態に従ったベース送受信ステーション及び無線資源管理ユニットの中心的な機能のブロック図。
【図２】図１に示された電力修正アルゴリズムの動作方法のフローチャート。
【図３】前記電力修正アルゴリズムによって生成された変形された電源要求情報の本実施形態を示す表。
【図１】
2007512742.tif 000003
【図２】
2007512742.tif 000004
【図３】
2007512742.tif 000005
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
セルのセクタ間の複数の増幅器資源を貯めておくためにダウンリンク無線資源を管理する方法であって、
前記セルの各セクタに対するダウンリンク電力情報を受信する段階と、
前記ダウンリンク電力情報をフィルタリングして、前記セクタの異なる期間の電力要求を判定する段階と、
前記異なる期間の電力要求に応じて、前記セルの各セクタに対する前記受信したダウンリンク電力情報を修正して、より重い負荷がかかっているセクタが、負荷の少ないセクタよりも大きな電力を割り当てられるようにする段階と、
前記異なる期間の電力要求及び前記修正されたダウンリンク電力情報に基づいてダウンリンク無線資源管理決定を行って、より重い負荷がかかっているセクタが、該セクタの増幅器から得られる電力に加えて他のセクタの増幅器からの電力を割り当てられるようにする段階と、
を備える方法。
【請求項２】
ダウンリンク電力割り当てを判定する段階において、利用可能なダウンリンク電力を判定すること及び利用可能なダウンリンク電力情報を利用する段階を更に備える、請求項１に記載の方法。
【請求項３】
前記利用可能なダウンリンク電力が過負荷制御警告に関連する情報を利用して判定される、請求項２に記載の方法。
【請求項４】
ダウンリンク電力の割り当ての前記判定が、前記ダウンリンク電力情報と前記利用可能なダウンリンク電力情報との比較に依存する、請求項２に記載の方法。
【請求項５】
前記受信したダウンリンク電力情報を修正する段階が、前記ダウンリンク電力情報に対するスケーリング及びフィルタリング修正がスケーリング及びフィルタリング修正されたダウンリンク電力情報をもたらす段階を含み、
ダウンリンク無線資源管理の決定をする前記段階が、前記スケーリング修正されたダウンリンク電力情報に基づいて第１のダウンリンク無線資源管理の決定を行う段階と、前記フィルタリング修正されたダウンリンク電力情報に基づいて第２のダウンリンク無線資源管理の決定を行う段階とを含む、
請求項１に記載の方法。
【請求項６】
前記修正がマルチ・セル・ベース・サイトにおける少なくとも一つのセルに対する前記ダウンリンク電力情報のスケーリング及びフィルタリングに関する、請求項１に記載の方法。
【請求項７】
前記スケーリング及びフィルタリングが異なる無線資源管理決定に対して異なって実行される、請求項１に記載の方法。
【請求項８】
前記ダウンリンク電力情報の前記フィルタリングが、異なる長さの時間で前記電力情報を平均化することを含む、請求項１に記載の方法。
【請求項９】
前記平均化が異なる無線資源管理決定に対して異なる長さの時間で実行される、請求項８に記載の方法。
【請求項１０】
セルのセクタ間の複数の増幅器資源を貯めておくためにダウンリンク無線資源を管理するための装置であって、
受信したダウンリンク電力情報をフィルタリングして、前記セクタの異なる期間の電力要求を判定するための手段と、
前記異なる期間の電力要求に応じて、前記セルの各セクタに対する前記受信したダウンリンク電力情報を修正して、より重い負荷がかかっているセクタが、負荷の少ないセクタよりも大きな電力を割り当てられるようにする手段と、
前記異なる期間の電力要求及び前記修正されたダウンリンク電力情報に基づいてダウンリンクの無線資源管理決定を行って、より重い負荷がかかっているセクタが、該セクタの増幅器から得られる電力に加えて他のセクタの増幅器からの電力を割り当てられるようにする手段と、
を備える装置。
【請求項１１】
受信したダウンリンク電力情報を修正するための手段が電力スケーリングモジュール及びマルチ・バンド幅フィルタである、請求項１０に記載の装置。
【請求項１２】
前記ダウンリンク電力情報に基づいてダウンリンク無線資源管理決定を行うための前記手段が無線資源管理モジュールである、請求項１０に記載の装置。
【国際調査報告】
2007512742.tif 000006
2007512742.tif 000007